(57)【特許請求の範囲】
【請求項１】
所定の作業箇所に取り付け固定される装置本体１に、スタッド４付きのボール５と、このボール５を受けるボール受け部６と、前記ボール５をボール受け部６に圧着して回動不能に固定する圧着固定手段７とを設け、前記スタッド４に、活線作業用工具Ｓを取外し可能に固定するクランプ８を設けてなり、圧着固定手段７は、前記装置本体１の支持部材１１内に同心状に嵌合されて支持部材１１に固定される雌ねじ部１２と、この雌ねじ部１２に螺合される雄ねじ部１３と、この雄ねじ部１３の上端部に同軸一体に形成される円板状ヘッド部１３ａにスラスト軸受１４を介して冠載され、ボール５に押し付けられる押し付け部材１５と、雄ねじ部１３を回転操作するために前記ヘッド部１３ａに一体的に突設されて水平方向に回転可能なレバー１６と、からなり、該レバー１６を水平方向に一定角度回すことにより、前記ボール５がボール受け部６に圧着されて回動不能に固定されるようになっている活線作業用工具の固定装置。
【請求項２】
前記ボール５の外周面には複数の溝１７が互いに平行で周方向に条設されてなる請求項１に記載の活線作業用工具の固定装置。
【発明の詳細な説明】
【０００１】
【発明の属する技術分野】
本発明は、活線の切断作業、皮剥作業等を行うのに使用されるスティック、ヤットコ等の活線作業用工具を所定の作業箇所、例えば高所作業車のバケットの所定位置に固定するための活線作業用工具の固定装置に関する。
【０００２】
【従来の技術】
活線作業には危険を伴うため、通電を一時的に止めて作業を行うことが好ましいが、通電を一時的に止めることによる弊害が多大であることから、少なくとも作業者の手で持つ部分が絶縁材料で作られた棒状のスティックやヤットコ等の活線作業用工具が使用されている。
【０００３】
従来、上記のような活線作業用工具を使用して、例えば架線の被覆部分の剥離作業を行う場合には、高所作業車のバケットに二人の作業者に乗り、そのうちの一人が、先端に保持具を取り付けたスティックを持って、架線が動かないようにその剥離箇所を保持固定し、もう一人の作業者が、先端に剥離用具を取り付けたスティックを持って、このスティックで遠隔操作しながら被覆部分を剥離すると云うような作業方法がとられている。
【０００４】
【発明が解決しようとする課題】
上記のような作業方法では一箇所での活線作業に二人の作業者が必要であることから、本発明は、一人の作業者で活線作業が行えるようにするため、架線の補修箇所を保持するのに使用されるスティック等の活線作業用工具を、高所作業車のバケット等の所定の作業箇所に、工具先端の向き及びその移動が自在に調整できるように固定する活線作業用工具の固定装置を提供することを目的とする。
【０００５】
【課題を解決するための手段】
請求項１に係る発明の活線作業用工具の固定装置Ａは、所定の作業箇所に取り付け固定される装置本体１に、スタッド４付きのボール５と、このボール５を受けるボール受け部６と、前記ボール５をボール受け部６に圧着して回動不能に固定する圧着固定手段７とを設け、前記スタッド４に、活線作業用工具Ｓを取外し可能に固定するクランプ８を設けてなり、圧着固定手段７は、前記装置本体１の支持部材１１内に同心状に嵌合されて支持部材１１に固定される雌ねじ部１２と、この雌ねじ部１２に螺合される雄ねじ部１３と、この雄ねじ部１３の上端部に同軸一体に形成される円板状ヘッド部１３ａにスラスト軸受１４を介して冠載され、ボール５に押し付けられる押し付け部材１５と、雄ねじ部１３を回転操作するために前記ヘッド部１３ａに一体的に突設されて水平方向に回転可能なレバー１６と、からなり、該レバー１６を水平方向に一定角度回すことにより、前記ボール５がボール受け部６に圧着されて回動不能に固定されるようになっている。
【０００６】
請求項２に係る発明は、請求項１に記載の活線作業用工具の固定装置において、前記ボール５の外周面には複数の溝１７が互いに平行で周方向に条設されてなるものである。
【０００７】
【発明の実施の形態】
図１は本発明に係る活線作業用工具の固定装置Ａの使用状態を示す斜視図、図２は同固定装置Ａの拡大斜視図、図３は同固定装置Ａの要部拡大側面断面図、図４は図３の矢印Ｘの方向から見た同固定装置Ａの一部正面図である。これらの図において、１は固定装置Ａの装置本体で、高所作業車ＫのバケットＢに取り付け固定される取付部２と、この取付部２の上部に連設されたホルダー部３とからなり、このホルダー部３内に、スタッド４を一体又は一体的に突設したボール５と、このボール５を受ける凹曲面状のボール受け部６と、前記ボール５をボール受け部６に圧着して回動不能に固定する圧着固定手段７とが設けられ、そしてボール５のスタッド４に、活線作業用工具としてスティックＳを取外し可能に固定するクランプ８が一体的に連設されている。
【０００８】
装置本体１のホルダー部３は、図３に示すように、円筒状の外筒９と、この外筒９内の上部側に、鍔部９ａ，１０ａによって抜け出しを阻止された状態で嵌合された円筒状のボール保持筒１０と、外筒９内の下部側に螺嵌されてビスａで固定された円筒状の支持部材１１とからなるもので、ボール保持筒１０の内径はボール５の直径より僅かに大きいが、先端部が漸次径小となってその径小部分に前記凹曲面状のボール受け部６を形成し、このボール受け部６にボール５が回動可能に係合し、スタッド４は、ボール保持筒１０から外方へ突出している。ボール受け部６は、ボール５の外周面とほぼ同じ曲率の凹曲面に形成されている。
【０００９】
圧着固定手段７は、前記ホルダー部３の支持部材１１内に同心状に嵌合されてビスｂで支持部材１１に固定された雌ねじ部１２と、この雌ねじ部１２に螺合された雄ねじ部１３と、この雄ねじ部１３の上端部に同軸一体に形成された円板状ヘッド部１３ａにスラスト軸受１４を介して冠載され、ボール５に押し付けられる押し付け部材１５と、雄ねじ部１３をホルダー部３の外側から回転操作するために前記ヘッド部１３ａにボルトｃで固定されて外筒９の横長窓９ａから外方へ突出されたレバー１６とによって構成される。上記スラスト軸受１４は、ニードルベヤリングからなる。
【００１０】
しかして、レバー１６を、図２に示す横長窓９ａの一端側から他端側へ一定角度水平に回すことにより、雌ねじ部１２に螺合している雄ねじ部１３がボール５に近づく方へ螺進して、スラスト軸受１４を介し押し付け部材１５がボール５に押し付けられ、それによりボール５がホルダー部３のボール受け部６に圧着されて、ボール５はホルダー部３側に回動不能に固定される。また、レバー１６を逆方向に回すと、雄ねじ部１３が雌ねじ部１２に対しボール５から離れる方へ螺進して、ボール受け部６に対するボール５の圧着作用が解除され、ボール５はホルダー部３に対し自由に回動可能となる。
【００１１】
この場合、雄ねじ部１３のヘッド部１３ａと押し付け部材１５との間に介装されたスラスト軸受１４によって、雄ねじ部１３側が回転しても押し付け部材１５は回転せず、従ってレバー１６の水平回転操作時に押し付け部材１５とボール５の間に回転接触摩擦力が生じないから、レバー１６の操作が容易となる。特に、このスラスト軸受１４がニードルベヤリングからなるため、雄ねじ部１３側と押し付け部材１５との間に生ずる回転接触摩擦力が軽減され、レバー１６の操作が一層容易となる。
【００１２】
また、図３及び図５に示すように、ボール５の外周面には複数の溝１７が互いに平行で周方向に条設されているから、押し付け部材１５によってボール５をボール受け部６に押し付けて圧着する際に、溝１７がボール受け部６の凹曲面に対し食い付き作用を発揮し、その食い付き作用によってボール５がボール受け部６に確実強固に固定される。
【００１３】
ボール５のスタッド４に連設されたクランプ８は、図３及び図４に示すように、スタッド４の先端部に嵌合されてピン１８により固定された固定部材１９と、左右２本のガイドロッド２０，２０を介して、固定部材１９に対し平行移動可能な可動部材２１とを有する。ガイドロッド２０は、可動部材２１の長手方向両端部から垂直下方へ突出して、固定部材１９のガイド孔（図示省略）に挿通支持されており、またガイドロッド２０には、可動部材２１を固定部材１９に対し適当間隔に保持して活線作業用工具の挿入を容易にするためのコイルバネ２２が嵌装されている。そして、これら固定部材１９と可動部材２１との対向面には、活線作業用工具としてのスティックＳを挟持する断面略Ｖ字状の挟持部１９ａ，２１ａが形成されている。また、固定部材１９の長手方向中央部にはねじ軸２３が立設され、このねじ軸２３は可動部材２１の孔２１ｂに挿通され、その先端部には締付部材２４が螺嵌されている。この締付部材２４には回転操作用のノブ２５が取り付けてある。
【００１４】
このクランプ８の使用にあたっては、固定部材１９と可動部材２１との両挟持部１９ａ，２１ａ間にスティックＳを挿入し、ねじ軸２３に螺嵌されている締付部材２４をコイルバネ２２の付勢力に抗して締付方向に回転させることにより、可動部材２１が固定部材１９側に接近して、両挟持部１９ａ，２１ａ間で種々の径のスティックＳを挟持固定することができる。
【００１５】
装置本体１の取付部２は、図２に概略示すように、前後一対の脚部２６ａ，２６ｂと両脚部２６ａ，２６ａをつなぐ連結部２６ｃからなるコ字枠本体２６と、このコ字枠本体２６の一方の脚部２６ａ側に螺合されて他方の脚部２６ｂ側へ延びる螺軸２７と、この螺軸２７の先端に取り付けられた円板状の押し付け部材２８とによって構成され、コ字枠本体２６の上端部に基台２９が固着され、この基台２９上に円筒状の連結部材３０が立設され、この円筒状連結部材３０の上端部に前記ホルダー部３の円筒状支持部材１１が嵌合されて、ビスｄにより固定されている（図３参照）。螺軸２７の基端部にはレバー２７ａが設けてある。
【００１６】
従って、この取付部２を高所作業車のバケットＢに取り付けるには、図２のようにコ字枠本体２６をバケットＢの側壁上端部に跨嵌し、レバー２７ａの回転操作により螺軸２７を螺進させて、この螺軸２７の先端の押し付け部材２８とコ字枠本体２６の脚部２６ｂとでバケットＢの側壁部を圧着すればよい。
【００１７】
以上説明したような構成よりなる固定装置Ａを使用して、図１に示すような架線Ｃの活線作業、例えば被覆部分の剥離作業を行う場合には、先ず、装置本体１の取付部２を高所作業車ＫのバケットＢの所要部に取り付け固定する。この際、圧着固定手段７は、レバー１６をボール受け部６に対するボール５の圧着作用が解除されるロック解除位置にセットして、スタッド４に取り付けられたクランプ８がボール５を中心として任意の方向へ自由に揺動できるようにしておく。
【００１８】
それから、作業者Ｍが先端に保持具Ｅを取り付けたスティックＳを持って、その保持具Ｅで剥離箇所の所要部を保持しながら、固定装置１のクランプ８側をボール５を中心に適宜に揺動させて、このスティックＳの基端部をクランプ８に挟持固定する。この際、スティックＳ先端の向きに応じてクランプ８側を揺動させると共に、保持具Ｅの保持位置に応じてスティックＳをその長さ方向に適宜移動させて、スティックＳが所望の姿勢になった状態でその基端部をクランプ８で挟着固定すればよい。この後、圧着固定手段７のレバー１６をロック位置まで回して、ボール５をホルダー部３側に回動不能に固定することによって、スティックＳは、図１に示すようにバケットＢに取り付け固定した装置本体１に対し所望の姿勢に固定される。
【００１９】
こうして、剥離箇所の所要部を保持するスティックＳを、固定装置ＡによってバケットＢに固定した後、作業者Ｍが、先端に剥離用具Ｆを取り付けた別のスティックＳ′を持って、このスティックＳ′で遠隔操作しながら架線Ｃの被覆部分の剥離作業を行う。
【００２０】
上記のように、本発明の固定装置Ａによれば、架線Ｃが動かないように剥離箇所の所要部を保持するスティックＳを、バケットＢの所定箇所において、三次元方向に適宜に位置調整した上で作業に必要な所望の姿勢に固定させることができるから、作業者Ｍは一人で別のスティックＳ′を持って、遠隔操作しながら被覆部分の剥離作業を行うことができる。この場合、必要に応じて、複数個のスティックＳを使用して、それらをバケットＢの所要位置に固定することができる。特に、この固定装置Ａによれば、レバー１６を一定角度範囲回動するだけで、ボール受け６に対するボール５のロック操作及びその解除操作を行えるから、活線作業用工具の固定又は取外し作業が簡単容易となる。
【００２１】
この実施形態では、固定装置Ａに固定する活線作業用工具として、スティックＳのみを例示したが、ヤットコその他のスティックＳ以外の工具も固定することができる。また、装置本体１は、高所作業車ＫのバケットＢに限らず、所定の作業箇所に取り付け固定させることができるものである。
【００２２】
【発明の効果】
請求項１に係る発明の固定装置は、装置本体に、スタッド付きのボールと、ボール受け部と、前記ボールをボール受け部に圧着して回動不能に固定する圧着固定手段とを設けると共に、前記スタッドに、活線作業用工具を取外し可能に固定するクランプを設けたものであって、この固定装置を使用することにより、例えば架線の補修箇所を保持する活線作業用工具を、所定の作業箇所に、必要とする所望の姿勢で固定させておくことができるから、作業者は一人で別の活線作業用工具を持って、遠隔操作しながら所要の活線作業を行えばよく、従って従来二人で行っていた活線作業を一人で行うことができ、人件費の節約に貢献することができる。
【００２３】
そして本発明に係る圧着固定手段７は、前記装置本体１の支持部材１１内に同心状に嵌合されて支持部材１１に固定される雌ねじ部１２と、この雌ねじ部１２に螺合される雄ねじ部１３と、この雄ねじ部１３の上端部に同軸一体に形成される円板状ヘッド部１３ａにスラスト軸受１４を介して冠載され、ボール５に押し付けられる押し付け部材１５と、雄ねじ部１３を回転操作するために前記ヘッド部１３ａに一体的に突設されて水平方向に回転可能なレバー１６と、からなり、該レバー１６を水平方向に一定角度回すことにより、前記ボール５がボール受け部６に圧着されて回動不能に固定されるようになっている。
【００２４】
従って、本発明によれば、前記雄ねじ部１３のヘッド部１３ａと押し付け部材１５との間に介装されたスラスト軸受１４によって、雄ねじ部１３側が回転しても押し付け部材１５は回転せず、従ってレバー１６の水平回転操作時に押し付け部材１５とボール５の間に回転接触摩擦力が生じないから、レバー１６の操作が容易となる。
【００２５】
さらにまた、本発明によれば、レバー１６を一定角度水平方向に範囲回動するだけで、ボール受け６に対するボール５のロック操作及びその解除操作を行えるから、活線作業用工具の固定又は取外し作業が簡単容易となる。
【００２６】
請求項２に係る発明によれば、ボール５の外周面には複数の溝１７が互いに平行で周方向に条設されているから、押し付け部材１５によってボール５をボール受け部６に押し付けて圧着する際に、溝１７がボール受け部６の凹曲面に対し食い付き作用を発揮し、その食い付き作用によってボール５がボール受け部６に確実強固に固定される。
【図面の簡単な説明】
【図１】  本発明に係る活線作業用工具の固定装置の使用状態を示す斜視図である。
【図２】  同固定装置の拡大斜視図である。
【図３】  同固定装置の要部拡大側面断面図である。
【図４】  図３の矢印Ｘの方向から見た同固定装置の一部正面図である。
【図５】  ボールの一部拡大正面図である。
【符号の説明】
Ｓ，Ｓ′      スティック（活線作業用工具）
Ａ            活線作業用工具の固定装置
１            装置本体
４            スタッド
５            スタッド付きのボール
６            ボール受け部
７            ねじ式の圧着固定手段
８            クランプ
【図１】
0004334669.tif 000002
【図２】
0004334669.tif 000003
【図３】
0004334669.tif 000004
【図４】
0004334669.tif 000005
【図５】
0004334669.tif 000006